(57)【要約】【課題】薬液をミスト化して吐出することができ、ミストを吐出する出口を洗浄することによって、ミストが固形化・結晶化することなく安定したシステム利用が可能な携帯型ミスト発生装置及び薬液等のミストの吐出方向を誘導するデヴアイスを提供する。【解決手段】携帯型ミスト発生装置１は、薬液を収容する薬液収容部１８及び洗浄液を収容する洗浄液収容部１７と、液体収容部１８から流出された液体を貯留する貯留部１９と、貯留部１９から流出された液体を超音波振動によって霧状にするミスト発生部１２と、を有し、霧状にした液体に気体を吹き付けて噴射ノズル１１ａから吐出する薬液工程を実行する。洗浄液は、薬液が流れる流路内を洗浄するための洗浄工程にて使用する。洗浄工程と薬液工程とは自動又は手動によって実行される。【選択図】図３
2013094329.tif 000002
【特許請求の範囲】
【請求項１】
薬液を収容する薬液収容部及び洗浄液を収容する洗浄液収容部から構成され、液体を収容する液体収容部と、
前記液体収容部から流出された液体を貯留する貯留部と、
前記貯留部から流出された液体を超音波振動によって霧状にするミスト発生部と、
霧状にした液体を噴射する噴射部と、
を備え、
ミスト発生部と噴射部双方の洗浄を自動的に行うシステムを有する携帯型ミスト発生装置。
【請求項２】
前記貯留部には、前記液体収容部からの液体の流出を制御する電磁バルブが設けられていることを特徴とする請求項１記載の、ミスト発生部と噴射部双方の洗浄を自動的に行うシステムを有する携帯型ミスト発生装置。
【請求項３】
前記液体収容部に形成された凸状の開口部と前記貯留部の上部とは、着脱可能に嵌合されていることを特徴とする請求項１又は２記載の、ミスト発生部と噴射部双方の洗浄を自動的に行うシステムを有する携帯型ミスト発生装置。
【請求項４】
前記噴射部は、前記ミスト発生部によって霧状にされた液体を噴射するとともに、前記液体収容部からの液体の流路内に気体を吹き付けて流路内を乾燥させることを特徴とする請求項１から３のいずれか記載の、ミスト発生部と噴射部双方の洗浄を自動的に行うシステムを有する携帯型ミスト発生装置。
【請求項５】
前記噴射部の噴射ノズル近傍には、前記システムに取り付け可能なミスト誘導デヴアイスを接合するための接合凹部が形成されていることを特徴とする請求項１から４のいずれか記載の、ミスト発生部と噴射部双方の洗浄を自動的に行うシステムを有する携帯型ミスト発生装置。
【請求項６】
請求項１から５のいずれか記載のミスト発生部と噴射部双方の洗浄を自動的に行うシステムを有する携帯型ミスト発生装置に取り付けられ、先端は開口され、後端に前記システムの前記接合凹部と接合するための接合凸部が形成されていることを特徴とする、ミストを誘導するデヴアイスを有する携帯型ミスト発生装置。
【請求項７】
請求項１から５のいずれか記載のミスト発生部と噴射部双方の洗浄を自動的に行うシステムを有する携帯型ミスト発生装置に取り付けられ、閉口された先端近傍には、円周方向の開口部が複数形成されていることを特徴とする、ミストを誘導するデヴアイスを有する携帯型ミスト発生装置。
【発明の詳細な説明】
【技術分野】
【０００１】
本発明は、薬液等の液体を霧状にミスト化して吐出することのできるミスト発生部と噴射部双方の洗浄を自動的に行うシステムを有する携帯型ミスト発生装置、並びにミストを誘導するデヴアイスを有する携帯型ミスト発生装置に関する。
【背景技術】
【０００２】
医療分野においては、薬液を直接患部に塗布する方法と薬液をミスト化して直接患部に噴霧して沈着させる方法とによる治療が広く行われている。特に後者はネブライザー治療と呼ばれており、ミスト化したミスト薬液の分子量が小さいことに起因して、ミスト薬液を遠くに飛ばしたり、患部に浸透しやすくさせたりする効果が期待される。
【０００３】
一方、一般家庭おいても、ミスト薬液を患部に噴霧できる市販医薬品等を入手可能になっている。この種の医薬品等は、複数の微細孔から薬液を高圧噴出させることでミスト化を実現している（特許文献１）。
【先行技術文献】
【特許文献】
【０００４】
【特許文献１】特開２０１０−２７４０１９号公報
【発明の概要】
【発明が解決しようとする課題】
【０００５】
しかしながら、複数の微細孔から薬液を噴出させてミスト化を実現する方法では、本来のミスト化に期待されるような、ミスト化したミスト薬液の分子量が小さいことに起因して、ミスト薬液を遠くに飛ばしたり、患部に浸透しやすくさせたりする効果は薄いと考えられている。例えば、特許文献１記載の除菌・消臭噴霧器は可搬可能なコンパクトなものではあるものの、除菌、消毒、消臭の各作用が可能な程度のミスト化で足り、皮膚や皮膚粘膜に浸透しやすいミスト化までは必要がない。
【０００６】
また、複数の微細孔から薬液を噴出させてミスト化を実現する方法では、薬液が微細孔に詰まって固形化・結晶化する目詰まりが発生しやすく、霧を吐出する場合に出口を塞ぎ、或いは出にくくすることの欠陥が生じるばかりではなく、不衛生でもある。また、ネブライザー治療に用いられる装置においても、ミスト薬液を噴霧した後は薬液の流路に薬液が残存していることがあり、上記の欠陥が生じ、また、不衛生でもある。
【０００７】
本発明は、このような点に鑑みてなされたものであり、その目的は、薬液をミスト化して吐出することができ、ミストを吐出する出口を洗浄することによって、ミストが固形化・結晶化することなく安定したシステム利用が可能なミスト発生部と噴射部双方の洗浄を自動的に行うシステムを有する携帯型ミスト発生装置、並びにミストを誘導するデヴアイスを有する携帯型ミスト発生装置を提供することにある。
【課題を解決するための手段】
【０００８】
以上のような課題を解決するために、本発明は、以下のものを提供する。
【０００９】
（１）  薬液を収容する薬液収容部及び洗浄液を収容する洗浄液収容部から構成され、液体を収容する液体収容部と、前記液体収容部から流出された液体を貯留する貯留部と、前記貯留部から流出された液体を超音波振動によって霧状にするミスト発生部と、霧状にした液体を噴射する噴射部と、を備え、ミスト発生部と噴射部双方の洗浄を自動的に行うシステムを有する携帯型ミスト発生装置。
【００１０】
本発明によれば、超音波振動によって霧状にされた液体に気体を吹き付けて噴射することにより、薬液等の液体をミスト化して吐出することができる。ここで、液体収容部の液体全てを超音波振動させるのではなく、必要量だけを貯留部に貯めてミスト発生部に流入することができ、また、貯留部からミスト発生部に流入させる流入速度の調整を図ることで、効率よくかつ短時間で液体を超音波振動させて霧状にすることができる。
【００１１】
また、薬液収容部及び洗浄液収容部が一体又は別体として構成された液体収容部について、どちらか一方の液体（薬液又は洗浄液）がミスト発生部に流出されることから、薬液をミスト化して噴霧することや洗浄液を流路内に流して洗浄することができ、薬液が流れる流路内を洗浄液で洗浄できる衛生面を担保したシステムを提供することができる。
【００１２】
（２）  前記貯留部には、前記液体収容部からの液体の流出を制御する電磁バルブが設けられていることを特徴とする、ミスト発生部と噴射部双方の洗浄を自動的に行うシステムを有する携帯型ミスト発生装置。
【００１３】
本発明によれば、液体収容部から貯留部への流出量を正確に制御することが可能となり、必要量だけを流出し無駄を防止することができる。なお、液体収容部が複数設けられている場合には、個々の液体収容部からの流出量を正確に制御することができる。
【００１４】
（３）  前記液体収容部に形成された凸状の開口部と前記貯留部の上部とは、着脱可能に嵌合されていることを特徴とする、ミスト発生部と噴射部双方の洗浄を自動的に行うシステムを有する携帯型ミスト発生装置。
【００１５】
本発明によれば、凸状の開口部が形成された液体収容部が貯留部の上部に嵌合されており、それが着脱可能に構成されていることから、液体収容部（薬液収容部、洗浄液収容部）を簡易に取り付け・取り外し可能であり、不便さから古い液体を使用せざるをえないなど衛生面を阻害することはなく、むしろ衛生面を維持しやすいシステムを提供することができる。
【００１６】
（４）  前記噴射部は、前記ミスト発生部によって霧状にされた液体を噴射するとともに、前記液体収容部からの液体の流路内に気体を吹き付けて流路内を乾燥させることを特徴とする、ミスト発生部と噴射部双方の洗浄を自動的に行うシステムを有する携帯型ミスト発生装置。
【００１７】
本発明によれば、流路内に気体（エアー）を吹き付けて流路内の表面を乾燥させることにより、流路内に液体が残余することを低減するシステムを提供することができる。
【００１８】
（５）  前記噴射部の噴射ノズル近傍には、前記システムに取り付け可能なミスト誘導デヴアイスを接合するための接合凹部が形成されていることを特徴とする、ミスト発生部と噴射部双方の洗浄を自動的に行うシステムを有する携帯型ミスト発生装置。
【００１９】
本発明によれば、薬液ミストが適切に患部に届きやすくするデヴアイスを簡易にシステムに取り付け可能にすることができる。
【００２０】
（６）  本システムを有する携帯型ミスト発生装置に取り付けられ、先端は開口され、後端に前記システムの前記接合凹部と接合するための接合凸部が形成されていることを特徴とする、ミストを誘導するデヴアイスを有する携帯型ミスト発生装置。
【００２１】
本発明によれば、本システムに取り付け可能に構成されたデヴアイスを提供することができる。
【００２２】
（７）  本システムを有する携帯型ミスト発生装置に取り付けられ、閉口された先端近傍には、円周方向の開口部が複数形成されていることを特徴とする、ミストを誘導するデヴアイスを有する携帯型ミスト発生装置。
【００２３】
本発明によれば、本システムに取り付け可能に構成されたデヴアイスを提供することができる。
【発明の効果】
【００２４】
本発明のシステムを有する携帯型ミスト発生装置によれば、薬液等の液体をミスト化して吐出することができるとともに、薬液が流れる流路内を洗浄液で洗浄して衛生面を担保することができる。また、本発明のデヴアイスによれば、薬液ミストが適切に患部に届きやすくすることができる。
【図面の簡単な説明】
【００２５】
【図１】本発明の実施の形態に係る携帯型ミスト発生装置のシステム概要を示す図である。
【図２】本発明の実施の形態に係る携帯型ミスト発生装置のシステム構成を示す図である。
【図３】本発明の実施の形態に係る携帯型ミスト発生装置のシステム構成を示す図である。
【図４】本発明の実施の形態に係る携帯型ミスト発生装置のシステム構成を示す図である。
【図５】本発明の実施の形態に係る携帯型ミスト発生装置のシステム構成を示す図である。
【図６】電磁バルブによって制御している例を示す図である。
【図７】電磁バルブによって制御している例を示す図である。
【図８】電磁バルブによって制御している例を示す図である。
【図９】本発明の実施の形態に係るデヴアイスを説明するための図である。
【図１０】本発明の実施の形態に係るデヴアイスを説明するための図である。
【図１１】本発明の実施の形態に係る携帯型ミスト発生装置のシステム動作を示す流れ図である。
【図１２】本発明の実施の形態に係る携帯型ミスト発生装置のシステム動作を示す流れ図である。
【図１３】本発明の実施の形態に係る携帯型ミスト発生装置のシステム動作を示す流れ図である。
【図１４】本発明の実施の形態に係る携帯型ミスト発生装置のシステム動作を示す流れ図である。
【図１５】本発明の実施の形態に係る携帯型ミスト発生装置のシステム動作を示す流れ図である。
【図１６】電磁バルブによって制御している例を示す図である。
【発明を実施するための形態】
【００２６】
以下、本発明を実施するための最良の形態について、図面を参照しながら説明する。
【００２７】
図１は、本発明の実施の形態に係る携帯型ミスト発生装置のシステム概要を示す図であり、（ａ）は不使用時の状態、（ｂ）は使用時の状態、（ｃ）は使用時・使用後の状態を示している。
【００２８】
携帯型ミスト発生装置１は、ミスト液体を噴出する噴射ノズル１１ａが設けられ、デヴアイス２，４がスライドによって着脱可能な平滑なスライド部１ａと、使用時に把持する把時部１ｂと、から構成される。デヴアイス２は、不使用時には、噴射ノズル１１ａを覆い、先端にキャップ３を被せることができる形状を呈している。デヴアイス４は、用途に応じてミスト薬液の噴霧方向を誘導するミスト誘導デヴアイスである。なお、不使用時にキャップ３をデヴアイス２,４に被せることができる形状であれば、デヴアイス２とデヴアイス４は不使用時であっても使用時であっても用いることができる。キャップ３は、不使用時にはデヴアイス２の先端に被せられ、使用時には把時部１ｂの後端に被せることができる形状を呈している。
【００２９】
図２〜図５は、本発明の実施の形態に係る携帯型ミスト発生装置のシステム構成を示す図であり、図２は、携帯型ミスト発生装置１にデヴアイス４を取り付けた状態における正面断面図、図３は、携帯型ミスト発生装置１にデヴアイス４とカバー３を取り付けた状態における平面断面図、図４は、図２における右側面図、図５は、図３における右側面断面図である。
【００３０】
本発明の実施の形態に係る携帯型ミスト発生装置１は楕円形状を呈しており、スライド部１ａと把時部１ｂとの境目は段部が形成されている。この段部によって、デヴアイス４の右方向へのスライドを規制することができる（図２）。また、スイッチ制御部２０側には把時部１ｂの後端には一部が開口されて凹んだ押圧部２１ａが設けられ、キャップ３を後端に取り付けたときにキャップとの間に隙部２１が形成される。
【００３１】
携帯型ミスト発生装置１の最先端に設けられる噴射ノズル１１ａは、ミスト発生部１２によって霧状にされた液体（薬液,洗浄液）をミスト誘導ポンプ１３のエアー圧力によって噴射する。ミスト発生部１２を構成する超音波振動体としては圧電セラミックスがあり、圧電セラミックスに高周波の交流電圧を印加することによって超音波を発生させることができる。なお、ミスト誘導ポンプ１３がなくても、霧状にされた液体（薬液,洗浄液）の霧滴の運動力によって、ミストの噴射は可能である。
【００３２】
また、携帯型ミスト発生装置１には、洗浄液を収容する洗浄液収容部１７と薬液を収容する薬液収容部１８とが設けられ、それらの下流には洗浄液収容部１７又は薬液収容部１８から流出された洗浄液又は薬液を貯留する貯留部１９が設けられている。すなわち、洗浄液は、洗浄液収容部１７の流出ノズル１７ａから流出されて貯留部１９の流出ノズル１９ａから流出されるまでの間、貯留部１９に留められることになる。また、薬液は、薬液収容部１８の流出ノズル１８ａから流出されて貯留部１９の流出ノズル１９ａから流出されるまでの間、貯留部１９に留められることになる。
【００３３】
また、スライド部１ａを把時部１ｂから抜き取るか、或いは、半割にされたスライド部１ａを開くことで収容部上部が開放されて、洗浄液収容部１７又は薬液収容部１８の交換が可能となる。
と
【００３４】
また、携帯型ミスト発生装置１は、洗浄液収容部１７と薬液収容部１８からの洗浄液又は薬液の流出を、ソレノイド１６を用いた電磁バルブによって制御している。これについては、後述する。
【００３５】
さらに、システム１には、各機構へ電力を供給するための充電器１５、各機構の制御を司るＩＣチップが設けられている。
【００３６】
なお、洗浄液収容部１７に収容する洗浄液としては、超純水，エタノール水のような殺菌性や揮発性に優れた液体を挙げることができる。また、薬液収容部１８に収容する液体としては、点眼薬や経鼻薬等、その用途に応じたものに変更可能である。また、洗浄液収容部１７及び薬液収容部１８は一体型であってもよく別体型であってもよい。
【００３７】
図６〜図８は、洗浄液収容部１７と薬液収容部１８からの洗浄液又は薬液の流出を、ソレノイド１６を用いた電磁バルブによって制御している例を示す図である。
【００３８】
すなわち、電磁バルブは、流路を開閉するための開閉路１６ａ，１６ｂ,１６ｃが形成されている。開路１６ｃが流出ノズル１７ａ側にきたときは、洗浄液収容部１７からの洗浄液が下流に流れていくことになり、このときには、流出ノズル１８ａは閉路１６ｂで閉じられているため、薬液収容部１８からの薬液が下流に流れていくことはない（図６）。また、閉路１６ｂが流出ノズル１７ａ，１８ａ側にきたときは、いずれの液体も下流に流れていくことはない（図７）。さらに、開路１６ａが流出ノズル１８ａ側にきたときは、薬液収容部１８からの薬液が下流に流れていくことになり、このときには、流出ノズル１７ａは閉路１６ｂで閉じられているため、洗浄液収容部１７からの洗浄液が下流に流れていくことはない（図７）。
【００３９】
また、洗浄液収容部には凸状の開口部１７ｂが形成され、貯留部１９の上部外周面１９ｂと嵌合するための爪が形成されている。また、薬液収容部には凸状の開口部１８ｂが形成され、貯留部１９の上部外周面１９ｂと嵌合するための爪が形成されている。
【００４０】
なお、図１６に示すように、１回ごとの使用量が少ない場合には、必要以上に貯留部に貯留することのないように、貯留部１９'の容積を小さくすることができる。また、洗浄液収容部１７及び薬液収容部１８の下流側に弁を設けておき、その弁をソレノイド１６の作用によって開閉することも可能である。洗浄液収容部１７及び薬液収容部１８に液体の残余があっても、洗浄液収容部１７及び薬液収容部１８側の弁を閉じてから交換作業を行うことにより、液漏れを防ぎつつ容易に交換が可能となる。
【００４１】
図９及び図１０は、本発明の実施の形態に係るミスト誘導デヴアイスを説明するための図であり、図９は経鼻用デヴアイス、図１０は点眼用デヴアイスの例である。
【００４２】
図９に示すミスト誘導デヴアイス５は、先端が開口されて先細りしており、後端は接合凸部が形成されている。この接合凸部とシステム１の接合凹部とが接合することによって、携帯型ミスト発生装置１にミスト誘導デヴアイス５を取り付けることができる。
【００４３】
図１０に示すミスト誘導デヴアイス６は、先端（図示左側）が閉口され、先端近傍には、円周方向の開口部が左右２つ形成されている（図示は、左右片側の１つのみ）。ミスト誘導デヴアイス６の楕円形状をスライド部１ａの楕円形状よりも若干大きくすることによって、ミスト誘導デヴアイス６を携帯型ミスト発生装置１のスライド部１ａにスライド可能に取り付けることができる。
【００４４】
図１１〜図１３は、本発明の実施の形態に係る携帯型ミスト発生装置のシステム動作を示す流れ図であり、特に、洗浄工程と薬液工程とを自動で行うために、自動モードが設定されている場合について説明する。以下に説明する一連の動作は、ＩＣチップ１４の制御指令の下で実行される。
【００４５】
まず、本システム動作にあたっては、初期設定により自動モードを設定する（ステップＳ１００）。自動モードの設定は一度行えば次回以降も同じ自動モードで起動が可能となる。また、電源を入れる度に自動モード又は手動モードの一方を選択するようにユーザに促してもよい。本実施の形態にあっては、自動にて種々の薬液を利用するために効果的な洗浄機能を有し、また効果的に洗浄が行えるように薬液と洗浄液の流路が設定されている。
【００４６】
次に、ユーザがスタートＳＷを押圧してＯＮにすると（ステップＳ１０１）、それを検知した充電記１５より各機構に電力が供給されてシステムが起動する。このとき、ユーザがスタートＳＷを押圧してＯＮにしても（ステップＳ１０１）、薬液収容部１８及び洗浄液収容部１７が正常にセットされていなければ、システムが起動しないとすることができる。これにより、不正常なセット状態でシステムを稼働することによる液漏れや、液漏れによる漏電、感電などの事故を防止することができる。また、薬液収容部１８及び洗浄液収容部１７が正常にセットされていなければ、ミスト誘導デヴアイスをセットできない構造とすることで、システムの運用を阻害するようにしてもよい。
【００４７】
ステップＳ１０１にてスタートＳＷのＯＮを検知して電力が供給されたＩＣチップ１４は、所定のプログラムに基づいてシステム状態の確認を行う（ステップＳ１０２）。すなわち、薬液収容部１８及び洗浄液収容部１７が正常にセットされているか、システムの稼働に必要な充電残量があるか等の確認を行う。確認の結果、異常と判定すれば、システムを停止して（ステップＳ１０３）、エラー表示を行う（ステップＳ１０４）。エラー表示としては、例えばＬＥＤランプを高速点滅させることによって、ユーザに異常状態を知らせることができる。
【００４８】
一方、ステップＳ１０２においてシステム状態の確認を正常と判定すれば、例えばＬＥＤランプを低速点滅させることによって、ユーザに正常であることを知らせる状態表示を行う（ステップＳ１０５）。すなわち、ユーザは、ＬＥＤランプの点滅速度によってシステムの異常／正常を知ることができる。なお、このような状態表示はランプの種類を変えることによっても行うことができ、正常な場合は青のＬＥＤランプ、異常な場合は赤のＬＥＤランプを点滅又は点灯させることもでき、その他種々の方法によってユーザに知らせることが可能である。
【００４９】
ステップＳ１０５における状態表示によって、ユーザが正常であることを認識して、再度ユーザがスタートＳＷを押圧してＯＮにすると（ステップＳ１０６）、システムは自動洗浄工程を実行する。すなわち、電磁バルブによって洗浄液収容部１７からの洗浄液の流出を開放し、薬液収容部１８からの薬液の流出を停止するように、洗浄液側のバルブを開き、薬液側のバルブを閉じる（図６参照）。また、洗浄液をミスト化して噴霧するために、ミスト発生部１２の超音波端子に電力を供給してＯＮ状態とし、ミスト誘導ポンプ１３にも電力を供給してＯＮ状態とする（ステップＳ１０７）。これにより、薬液収容部１８の流出ノズル１８ａから噴射ノズル１１ａまでの流路を洗浄することができる。なお、洗浄液の流出量としては該流路容積の約３倍など、任意に設定することができる。
【００５０】
ステップＳ１０７において、規定の洗浄液の流出が終わると、洗浄液収容部１７からの洗浄液の流出を停止するように、洗浄液側のバルブを閉じ、薬液側のバルブを閉じる（図７参照）。また、ミスト発生部１２の超音波端子への電力の供給を停止してＯＦＦ状態とする（ステップＳ１０８）。このとき、ミスト誘導ポンプ１３への電力の供給は継続してＯＮ状態としている。すなわち、洗浄液の流出を停止した後でも、流出ノズル１８ａから噴射ノズル１１ａまでの流路に残存している洗浄液をミスト誘導ポンプ１３のエアーによって排出させるとともに、流路内に洗浄液が残存しない状態となったときは、ミスト誘導ポンプ１３のエアーを流路内に送り込むことによって、流路内を乾燥する。
【００５１】
ステップＳ１０８における状態から所定時間経過するなどを条件として、ミスト誘導ポンプ１３への電力の供給を停止してＯＦＦ状態とする（ステップＳ１０９）。これにより、流路内の残存洗浄液の排出及び流路内の乾燥が終了する。以上のステップＳ１０５〜Ｓ１０９までの一連の工程によって洗浄工程は完了し、システムは一時停止状態となる（ステップＳ１１０）。
【００５２】
洗浄工程が完了すると、ＬＥＤランプを点灯維持することによって、ユーザに洗浄工程が終了して、次の薬液工程にスタンバイしていることを知らせる状態表示を行う（ステップＳ１１１）。ユーザは、患部にデヴアイスを当ててスタートＳＷをＯＮにすると（ステップＳ１１２）、薬液工程がスタートする。なお、スタートＳＷをＯＮにしてから所定時間経過後に薬液工程がスタートするという設定の場合には、スタートＳＷをＯＮにした後にユーザは患部にデヴアイスを当てるという順序であってもよい。
【００５３】
ステップＳ１１２においてスタートＳＷを押圧してＯＮにすることが確認されると、システムは自動薬液工程を実行する。すなわち、電磁バルブによって洗浄液収容部１７からの洗浄液の流出を停止し、薬液収容部１８からの薬液の流出を開放するように、洗浄液側のバルブを閉じ、薬液側のバルブを開く（図８参照）。また、薬液をミスト化して噴霧するために、ミスト発生部１２の超音波端子に電力を供給してＯＮ状態とし、ミスト誘導ポンプ１３にも電力を供給してＯＮ状態とする（ステップＳ１０７）。これにより、噴射ノズル１１ａからミスト化されたミスト薬液を噴霧することができる。なお、薬液の流出量としては、予めユーザによって設定された容量（ダイヤル式で容量を設定する、初期設定時に容量を入力する等）が流出されたところで自動的に停止したり、ステップＳ１１２においてスタートＳＷを離反せずに押圧し続けている限り薬液を流出させてミスト薬液を噴霧したり、と任意に設定することができる。
【００５４】
ステップＳ１１３において、規定の薬液の流出が終わると、薬液収容部１８からの薬液の流出を停止するように、洗浄液側のバルブを閉じ、薬液側のバルブを閉じる（図７参照）。また、ミスト発生部１２の超音波端子への電力の供給を停止してＯＦＦ状態とする（ステップＳ１１４）。このとき、ミスト誘導ポンプ１３への電力の供給は継続してＯＮ状態としている。すなわち、薬液の流出を停止した後でも、流出ノズル１８ａから噴射ノズル１１ａまでの流路に残存している薬液をミスト誘導ポンプ１３のエアーによって排出させる。
【００５５】
ステップＳ１１４における状態から所定時間経過するなどを条件として、ミスト誘導ポンプ１３への電力の供給を停止してＯＦＦ状態とする（ステップＳ１１５）。これにより、流路内の残存薬液の排出が終了する。以上のステップＳ１１１〜Ｓ１１５までの一連の工程によって洗浄工程は完了し、薬液噴霧は自動停止状態となる（ステップＳ１１６）。
【００５６】
薬液工程が完了すると、ＬＥＤランプを低速点滅することによって、ユーザに薬液工程が終了して、最後の洗浄工程を実行することを知らせる状態表示を行い（ステップＳ１１１）、システムは自動洗浄工程を実行する。すなわち、電磁バルブによって洗浄液収容部１７からの洗浄液の流出を開放し、薬液収容部１８からの薬液の流出を停止するように、洗浄液側のバルブを開き、薬液側のバルブを閉じる（図６参照）。また、洗浄液をミスト化して噴霧するために、ミスト発生部１２の超音波端子に電力を供給してＯＮ状態とし、ミスト誘導ポンプ１３にも電力を供給してＯＮ状態とする（ステップＳ１１８）。これにより、薬液収容部１８の流出ノズル１８ａから噴射ノズル１１ａまでの流路を洗浄することができる。なお、洗浄液の流出量としては該流路容積の約３倍など、任意に設定することができる。
【００５７】
ステップＳ１１８において、洗浄液の流出が終わると、洗浄液収容部１７からの洗浄液の流出を停止するように、洗浄液側のバルブを閉じ、薬液側のバルブを閉じる（図７参照）。また、ミスト発生部１２の超音波端子への電力の供給を停止してＯＦＦ状態とする（ステップＳ１１９）。このとき、ミスト誘導ポンプ１３への電力の供給は継続してＯＮ状態として、ミスト誘導ポンプによる送風を継続している（ステップＳ１２０）。すなわち、洗浄液の流出を停止した後でも、流出ノズル１８ａから噴射ノズル１１ａまでの流路に残存している洗浄液をミスト誘導ポンプ１３のエアーによって排出させるとともに、流路内に洗浄液が残存しない状態となったときは、ミスト誘導ポンプ１３のエアーを流路内に送り込むことによって、流路内を乾燥する。
【００５８】
次に、ミスト誘導ポンプ１３への電力の供給を停止してＯＦＦ状態として、ミスト誘導ポンプを停止する。また、ＬＥＤランプを消灯することによって、洗浄工程の終了を状態表示する（ステップＳ１２１）。以上、洗浄工程→薬液工程→洗浄工程によって一連のワンサイクルの工程が完了する。
【００５９】
図１４及び図１５は、本発明の実施の形態に係る携帯型ミスト発生装置のシステム動作を示す流れ図であり、図１４は洗浄工程を手動で行い、図１５は薬液工程を手動で行うために、手動モードが設定されている場合について説明する。本実施の形態においては、手動にて種々の薬液を利用するために効果的な洗浄機能を有し、また効果的に洗浄が行えるように薬液と洗浄液の流路が設定されている。この手動モードでは、スタートＳＷを２秒以上押し続けると、２秒後から薬液の吐出を開始する。また、スタートＳＷを１秒以下で連続して２回押すと、洗浄工程を開始するなど、任意に設定することができる。なお、以下に説明する一連の動作は、ＩＣチップ１４の制御指令の下で実行される。
【００６０】
まず、本システム動作にあたっては、初期設定により手動モードを設定する（ステップＳ２００）。手動モードの設定は一度行えば次回以降も同じ手動モードで起動が可能となる。また、電源を入れる度に自動モード又は手動モードの一方を選択するようにユーザに促してもよい。
【００６１】
次に、ユーザがスタートＳＷを押圧してＯＮにすると（ステップＳ２０１）、それを検知した充電記１５より各機構に電力が供給されてシステムが起動する。このとき、スタートＳＷの押圧回数及び押圧時間もカウントし、スタートＳＷを１秒以下で連続して２回押されたことを条件に、以下の洗浄工程に移行する。
【００６２】
ステップＳ２０１にてスタートＳＷのＯＮを検知して電力が供給されたＩＣチップ１４は、所定のプログラムに基づいてシステム状態の確認を行う（ステップＳ２０２）。すなわち、薬液収容部１８及び洗浄液収容部１７が正常にセットされているか、システムの稼働に必要な充電残量があるか等の確認を行う。確認の結果、異常と判定すれば、システムを停止して（ステップＳ２０３）、エラー表示を行う（ステップＳ２０４）。エラー表示としては、例えばＬＥＤランプを高速点滅させることによって、ユーザに異常状態を知らせることができる。
【００６３】
一方、ステップＳ２０２においてシステム状態の確認を正常と判定すれば、例えばＬＥＤランプを低速点滅させることによって、ユーザに正常であることを知らせる状態表示を行う（ステップＳ２０５）。すなわち、ユーザは、ＬＥＤランプの点滅速度によってシステムの異常／正常を知ることができる。
【００６４】
ステップＳ２０５における状態表示によって、ユーザが正常であることを認識して、再度ユーザがスタートＳＷを押圧してＯＮにすると（ステップＳ２０６）、システムは洗浄工程を実行する（ステップＳ２０７）。この工程は、ステップＳ１１８と同様であるから、説明を省略する。なお、洗浄液の流出及び噴霧は、ユーザがスタートＳＷを押圧し続ける限り継続される。
【００６５】
ステップＳ２０７において、規定の洗浄液の流出が終わると、洗浄液収容部１７からの洗浄液の流出を停止するなど、ステップＳ１１９と同様の工程を実施する。ステップＳ２０７においては、ミスト誘導ポンプ１３への電力の供給は継続してＯＮ状態として、ミスト誘導ポンプによる送風を継続している（ステップＳ２０９）。
【００６６】
次に、ミスト誘導ポンプ１３への電力の供給を停止してＯＦＦ状態として、ミスト誘導ポンプを停止する。また、ＬＥＤランプを消灯することによって、洗浄工程の終了を状態表示する（ステップＳ２１０）。以上で、洗浄工程が完了する。
【００６７】
次に、手動モードで薬液工程を実行するためには、ユーザがスタートＳＷを押圧してＯＮにすると（ステップＳ２０１）、それを検知した充電器１５より各機構に電力が供給されてシステムが起動する。このとき、スタートＳＷの押圧回数及び押圧時間もカウントし、スタートＳＷを２秒以上押し続けることを条件に、以下の薬液工程に移行する。ここで、ステップＳ２０２〜Ｓ２０５の各工程は、前述した説明と同様である。
【００６８】
ステップＳ２０５における状態表示によって、ユーザが正常であることを認識して、再度ユーザがスタートＳＷを押圧してＯＮにすると（ステップＳ２０６）、システムは薬液工程を実行する（ステップＳ２２０）。この工程は、ステップＳ１１３と同様であるから、説明を省略する。なお、薬液の流出及び噴霧は、ユーザがスタートＳＷを押圧し続ける限り継続される。
【００６９】
ステップＳ２２０において、規定の薬液の流出及び噴霧が終わると、薬液収容部１８からの薬液の流出を停止するなど、ステップＳ１１４と同様の工程を実施する（ステップＳ２２１）。ユーザがスタートＳＷを押し続けることを止めて、スタートＳＷを離反すると、ミスト薬液の噴霧は停止し、自動的に洗浄工程を実行することとなる。このとき、ＬＥＤランプを低速点滅することによって、洗浄工程の開始を状態表示する（ステップＳ２２２）。
【００７０】
洗浄工程においては、ステップＳ１１８〜Ｓ１２０における動作と同様に、ステップＳ２２３〜Ｓ２２５の一連の動作が実行され、その後、ミスト誘導ポンプ１３への電力の供給を停止してＯＦＦ状態として、ミスト誘導ポンプを停止する。また、ＬＥＤランプを消灯することによって、洗浄工程の終了を状態表示する（ステップＳ２２６）。以上により、洗浄工程が完了する。
【００７１】
本実施形態に示す自動モードによれば、薬液工程の前後に洗浄工程が実行されることから、システム内の流路を洗浄液で洗浄でき、衛生面を担保することができる。また、本実施形態に示す手動モードによれば、薬液工程の後に洗浄工程が実行されることから、衛生面を担保することができる。そのため、例えば、使用頻度が高くて１日に何度も患部に噴霧するユーザにとっては、手動モードによっても衛生面の担保は十分であり、また、使用頻度が低いユーザにとっては、自動モードによって、まず洗浄工程を実行した後に薬液工程を実行することで衛生面の担保は十分となる。
【００７２】
また、本実施形態に示す手動モード及び自動モードのいずれでも、洗浄液の流出を停止して超音波端子に電力を供給しなくなった後においても、ミスト誘導ポンプ１３によるエアーをシステム流路内に流入させて乾燥をしていることから、流路内に洗浄液が残留することを低減している。また、これは薬液の流路内への残留についても同様に低減している
【産業上の利用可能性】
【００７３】
本発明に係る携帯型ミスト発生装置及び薬液等のミストの噴霧方向を誘導するミスト誘導デヴアイスは、衛生的に薬液等の噴霧を行うことができ、ミスト薬液がより適切に患部に届きやすいものとして有用である。
【符号の説明】
【００７４】
１  携帯型ミスト発生装置
２,４  デヴアイス
３  カバー
５,６  ミスト誘導デヴアイス
１１ａ  噴射ノズル
１２  ミスト発生部
１３  ミスト誘導ポンプ
１４  ＩＣチップ
１５  充電器
１６  ソレノイド
１７  洗浄液収容部
１７ａ  流出ノズル
１８  薬液収容部
１８ａ  流出ノズル
１９  貯留部
１９ａ  流出ノズル
２０  スイッチ制御部
２１  隙部
２１ａ  押圧部
【図１】
2013094329.tif 000003
【図２】
2013094329.tif 000004
【図３】
2013094329.tif 000005
【図４】
2013094329.tif 000006
【図５】
2013094329.tif 000007
【図６】
2013094329.tif 000008
【図７】
2013094329.tif 000009
【図８】
2013094329.tif 000010
【図９】
2013094329.tif 000011
【図１０】
2013094329.tif 000012
【図１１】
2013094329.tif 000013
【図１２】
2013094329.tif 000014
【図１３】
2013094329.tif 000015
【図１４】
2013094329.tif 000016
【図１５】
2013094329.tif 000017
【図１６】
2013094329.tif 000018